(57)【要約】      （修正有）【課題】収容する物品の大きさに対応して区切られる収容空間の大きさを変更可能とする仕切部材を提供する。【解決手段】シート部材を折り曲げて組み立てられ、包装容器内に設置される仕切部材１で、シート部材に折線を介して第一側板２３と、第一頂部Ｌ２と、第二側板２４とからなる第一仕切板と、第二側板２４と、第二頂部Ｌ３と、第三側板２５とからなる第二仕切板を備え、第一仕切板の起立時には第三側板２５が倒伏し、第二仕切板の起立時には第一側板２３が倒伏する仕切部材である。【選択図】図１
0003216742.tif 000002
【実用新案登録請求の範囲】
【請求項１】
シート部材を折り曲げて組み立てられ、包装容器内に設置される仕切部材であって、前記仕切部材は、シート部材に折線を介して第一側板と、第一頂部と、第二側板とからなる第一仕切板と、前記第二側板と、第二頂部と、第三側板とからなる第二仕切板を備え、前記第一仕切板の起立時には前記第三側板が倒伏し、前記第二仕切板の起立時には前記第一側板が倒伏することを特徴とする仕切部材。
【請求項２】
前記仕切部材は、シート部材に略コの字形状の切線により形成される舌状部と、前記切線の始端から終端を結ぶ折線によって形成される基部と、前記舌状部に設けられ、前記基部と略平行な調整折線とからなる第三仕切板を備えることを特徴とする、請求項１に記載する仕切部材。
【考案の詳細な説明】
【技術分野】
【０００１】  本考案は、包装容器の内部を複数に区切る仕切部材に関する。
【背景技術】
【０００２】  従来から、包装容器内に収容される物品を位置決めるため、板紙等の素材で形成された仕切部材が用いられており、例えば、下記のような先行文献が存在する。【０００３】
【先行技術文献】
【特許文献】
【０００４】
【特許文献１】実用新案登録第３０１０３３８号公報
【考案の開示】
【考案が解決しようとする課題】
【０００５】  前記従来の仕切板は、一枚の台紙を用いて多数の仕切りを形成したものであり、底板部と、底板部の左右に谷折り目線を介して連設された山状部を備え、底板部を横切る谷折り目線と、底板部の切り目線と、斜面部の谷折り目線と、斜面部の切り目線とによって仕切板が規定される。しかしながら、このような仕切りに入れる物品の大きさは一定であることを前提としたものであり、異なる大きさの物品に対応することはできなかった。【０００６】  本考案は前記課題に鑑みてなされたものであって、収容する物品の大きさに対応して区切られる収容空間の大きさを変更可能とする仕切部材の提供を課題とする。
【課題を解決するための手段】
【０００７】  本考案の解決しようとする課題は以上の如くであり、次にこの課題を解決するための手段を説明する。【０００８】  第１の考案では、シート部材を折り曲げて組み立てられ、包装容器内に設置される仕切部材であって、前記仕切部材は、シート部材に折線を介して第一側板と、第一頂部と、第二側板とからなる第一仕切板と、第二側板と、第二頂部と、第三側板とからなる第二仕切板を備え、前記第一仕切板の起立時には前記第三側板が倒伏し、前記第二仕切板の起立時には前記第一側板が倒伏することを特徴とする仕切部材である。【０００９】  第２の考案では、第１の考案であって、シート部材に略コの字形状の切線により形成される舌状部と、前記切線の始端から終端を結ぶ折線によって形成される基部と、前記舌状部に設けられ、前記基部と略平行な調整折線とからなる第三仕切板を備えることを特徴とする仕切部材である。【００１０】
【考案の効果】
【００１１】  本考案によれば、収容する物品の大きさに対応して区切られる収納空間の大きさを変更することができる。
【図面の簡単な説明】
【００１２】
【図１】仕切部材１の展開体を示す平面図。
【図２】仕切部材１の組立工程を示す斜視図。
【図３】仕切部材１を組み込んだ包装箱４１に物品Ａを収容した状態を示す斜視図。
【図４】仕切部材１の組立工程を示す斜視図。
【図５】仕切部材１を組み込んだ包装箱４１に物品Ｂ、物品Ｃを収容した状態を示す斜視図。
【図６】仕切部材１の組立工程を示す斜視図。
【図７】仕切部材１を組み込んだ包装箱４１に物品Ａ、物品Ｄを収容した状態を示す斜視図。
【図８】仕切部材１及び仕切部材２の組立工程を示す斜視図。
【図９】仕切部材１及び仕切部材２を組み込んだ包装箱５１に物品Ａ、物品Ｂ、物品Ｃ、Ｄを収容した状態を示す斜視図。
【考案を実施するための形態】
【００１３】  本考案の実施形態に係る仕切部材１について説明する。
【００１４】  本考案の仕切部材１は、包装容器内に設置され、包装容器内の収納空間を区切る部材である。
仕切部材１は、図１に示す展開体を折り曲げて組み立てられ、包装箱４１に設置される。
仕切部材１は、板紙を用いて作成されるものであるが、段ボールシートやプラスチックシートなど他のシート部材を用いて作成することもできる。
【００１５】  まず、仕切部材１の構成について、図１に従って説明する。
【００１６】  展開体は上下方向に延びる折線Ｌ１、Ｌ２、Ｌ３、Ｌ４を備え、これらを折り曲げて組み立てることにより第一仕切板２１又は第二仕切板２２が起立する。本実施形態においては展開体の右側及び左側に夫々折線Ｌ１、Ｌ２、Ｌ３、Ｌ４を設けている。
展開体を組み立てて第一仕切板２１を起立させた状態において、折線Ｌ２は第一頂部を構成する部分であり、折線Ｌ１と折線Ｌ２とに挟まれた領域は第一仕切板２１の第一側板２３を構成する部分であり、折線Ｌ２と折線Ｌ３とに挟まれた領域は第二側板２４を構成する部分である。
展開体を組み立てて第二仕切板２２を起立させた状態において、折線Ｌ３は第二頂部を構成する部分であり、折線Ｌ２と折線Ｌ３とに挟まれた領域は第二仕切板２２の第二側板２４を構成する部分であり、折線Ｌ３と折線Ｌ４とに挟まれた領域は第三側板２５を構成する部分である。
折線Ｌ２と折線Ｌ３とに挟まれた領域である第二側板２４の上端及び下端には突部２６を備える。
【００１７】  また、展開体はコの字形状の切線Ｋと、切線Ｋの始端から終端を結ぶ折線Ｌ５を備える。切線Ｋと折線Ｌ５とによって区切られた領域は、第三仕切板３１の舌状部３２を構成する部分である。折線Ｌ５は第三仕切板３１の基部を構成する部分である。舌状部３２には、折線Ｌ５と平行な折線Ｌ６を備える。折線Ｌ６は第三仕切板３１の調整折線を構成する部分である。
【００１８】  次に、組み立てについて説明する。
まず、図２に示すように、仕切部材１を用いて物品Ａを１２個収容する場合について説明する。
この場合は、展開体の物品Ａの左右幅に対応する位置にある右側の第一仕切板２１、左側の第一仕切板２１を起立させる。具体的には折線Ｌ１を谷折りし、折線Ｌ２を山折りし、折線Ｌ３を谷折りすることで、第一側板２３、第一頂部Ｌ２、第二側板２４を備える第一仕切板２１が起立する。このとき、第三側板２５は倒伏した状態である。
次に、第三仕切板３１を起立させる。具体的には基部である折線Ｌ５を折り曲げて舌状部３２を起立させればよい。
そして、包装箱４１に仕切部材１を載置する。本実施形態の包装箱４１は板紙を折り曲げて組み立てられた箱であり、内壁には仕切部材１の突部２６に対応するスリットＳ１、スリットＳ２が設けられている。本実施形態では第一仕切板２１を起立させているため、第一仕切板２１の位置に対応した位置のスリットＳ１に突部２６を挿入して起立を保持する。
このようにして、包装箱４１の内部を仕切部材１によって物品Ａの大きさに対応する収容空間に仕切ることができる。
物品Ａを収容した状態を図３に示す。このとき、第一仕切板２１及び第三仕切板３１は物品Ａの大きさに対応する収納空間に仕切っているので物品Ａは適切に保持される。
【００１９】  次に、図４に示すように、仕切部材１を用いて物品Ｂ及び物品Ｃを収容する場合について説明する。物品Ｂは左右幅が物品Ａよりも大きな寸法である。また、物品Ｃは左右幅が物品Ａよりも小さな寸法である。
まず、展開体の、物品Ｂ及び物品Ｃの左右幅に対応する位置にある右側の第二仕切板２２及び左側の第二仕切板２２を起立させる。具体的には折線Ｌ２を谷折りし、折線Ｌ３を山折りし、折線Ｌ４を谷折りすることで、第二側板２４、第二頂部Ｌ３、第三側板２５を備える第二仕切板２２が起立する。このとき、第一側板２３は倒伏した状態である。
次に、上記と同様に基部である折線Ｌ５を折り曲げて第三仕切板３１を起立させる。
そして、包装箱４１に仕切部材１を載置し、第二仕切板２２の位置に対応した位置のスリットＳ２に突部２６を挿入して起立を保持する。
このようにして、包装箱４１の内部を仕切部材１によって物品Ｂ及び物品Ｃの大きさに対応する収容空間に仕切ることができる。
物品Ｂ及び物品Ｃを収容した状態を図５に示す。このとき、第二仕切板２２及び第三仕切板３１は物品Ｂ、物品Ｃの大きさに対応する収納空間に仕切っているので物品Ｂ，物品Ｃは適切に保持される。
【００２０】  次に、図６に示すように、物品Ａ及び物品Ｄを収容する場合について説明する。物品Ｄの左右幅は物品Ａと同じであるが、厚み幅が薄い寸法である。
この場合は展開体の物品Ａ及び物品Ｄの左右幅に対応する位置にある右側の第一仕切板２１、左側の第一仕切板２１を上記と同様に折り曲げて起立させ、基部である折線Ｌ５を折り曲げて第三仕切板３１を起立させる。そして、物品Ｄの厚み幅に合わせて調整折線Ｌ６を略Ｌ字形状に折り曲げる。
そして、包装箱４１に仕切部材１を載置し、第一仕切板２１の位置に対応した位置のスリットＳ１に突部２６を挿入して起立を保持する。
このようにして、包装箱４１の内部を仕切部材１によって物品Ａ及び物品Ｄの大きさに対応する収容空間に仕切ることができる。
物品Ａ及び物品Ｄを収容した状態を図７に示す。このとき、第一仕切板２１、第三仕切板３１は、物品Ａ、物品Ｄの大きさに対応する収納空間に仕切っているので、物品Ａ、物品Ｄは適切に保持される。
【００２１】  このように、本実施形態の仕切部材１は、シート部材である展開体を折り曲げて組み立てられ、包装容器内に設置される仕切部材であって、折線を介して第一側板２３と、第一頂部Ｌ２と、第二側板２４とからなる第一仕切板２１と、第二側板２４と、第二頂部Ｌ３と、第三側板２５とからなる第二仕切板２２を備え、第一仕切板２１の起立時には第三側板２５が倒伏し、第二仕切板２２の起立時には第一側板２３が倒伏するものである。このため、異なる位置に起立可能に構成した第一仕切板２１と第二仕切板２２のいずれを起立させるかの選択をすることが可能となり、収容する物品の大きさに対応して仕切られる収容空間の大きさを変更することができる。
【００２２】  また、仕切部材１は、シート部材である展開体に略コの字形状の切線Ｋにより形成される舌状部３２と、切線Ｋの始端から終端を結ぶ折線によって形成される基部Ｌ５と、舌状部３２に設けられ、基部Ｌ５と略平行な調整折線Ｌ６とからなる第三仕切板３１を備える。このため、収容する物品の大きさに対応して調整折線Ｌ６を折り曲げて収容空間の大きさを変更することができる。
【００２３】  以上、本考案の実施形態について説明したが、本考案はこれに限定されるものではなく、収容物品の大きさに対応して様々な態様で使用することができる。
上記実施態様では、右側及び左側の第一仕切板２１を起立させた場合や、右側及び左側の第二仕切板２２を起立させた場合について説明したが、右側は第一仕切板２１を起立させ、左側は第二仕切板２２を起立させることも可能である。
また、上記実施形態では、右側及び左側の２箇所に折線Ｌ１〜Ｌ４を設けたが、使用態様によって増減させることができる。
また、上記実施形態では、調整折線Ｌ６を１本設けているが、複数本設けてもよい。
【００２４】  また、仕切部材を複数用意して組み合わせることもできる。例えば、図８に示すように仕切部材１と仕切部材２とを包装箱５１に設置することもできる。仕切部材２の基本的な構成は仕切部材１と同様であるが、第三仕切板３１の数を増やしている。この実施形態では、仕切部材１では右側及び左側の第二側板２２を起立させている。また、仕切部材２では右側及び左側の第一仕切板２１を起立させている。
また、仕切部材１と仕切部材２との間には保持パーツ５２を配置している。保持パーツにもスリットＳ１及びスリットＳ２を設けている。
また、包装箱５１の内壁にも、スリットＳ１及びスリットＳ２を設けている。
そして、第一仕切板２１の位置に対応した位置のスリットＳ１に突部２６を挿入し、第二仕切板２２の位置に対応した位置のスリットＳ２に突部２６を挿入し起立を保持している。
このようにして、包装箱５１の内部を仕切部材１、仕切部材２によって物品Ａ、物品Ｂ、物品Ｃ、物品Ｄに対応する収容空間に仕切ることができる。
物品Ａ、物品Ｂ、物品Ｃ、物品Ｄを収容した状態を図９に示す。このとき、第一仕切板２１、第二仕切板２２、第三仕切板３１は、物品Ａ、物品Ｂ、物品Ｃ、物品Ｄの大きさに対応する収納空間に仕切っているので、物品Ａ、物品Ｂ、物品Ｃ、物品Ｄは適切に保持される。
【符号の説明】
【００２５】１      仕切部材
２１    第一仕切板
２２    第二仕切板
２３    第一側板
２４    第二側板
２５    第三側板
２６    突部
３１    第三仕切板
３２    舌状部
４１    包装箱
５１    包装箱
５２    保持パーツ
Ａ      物品
Ｂ      物品
Ｃ      物品
Ｄ      物品
Ｋ      切線
Ｌ１    折線
Ｌ２    折線、第一頂部
Ｌ３    折線、第二頂部
Ｌ４    折線
Ｌ５    折線、基部
Ｌ６    折線、調整折線
Ｓ１    スリット
Ｓ２    スリット
【図１】
0003216742.tif 000003
【図２】
0003216742.tif 000004
【図３】
0003216742.tif 000005
【図４】
0003216742.tif 000006
【図５】
0003216742.tif 000007
【図６】
0003216742.tif 000008
【図７】
0003216742.tif 000009
【図８】
0003216742.tif 000010
【図９】
0003216742.tif 000011